(57)【要約】  【課題】特にシリンダの表面速度が２０００ｍ／分を超える高速カードにおいて、シリンダ用メタリックワイヤの歯の局部摩耗を減少させ、繊維切断や繊維損傷を減少させると共に、メタリックワイヤの寿命を延長することを目的とする。  【解決手段】メタリックワイヤの歯の側面に、円弧面により形成された突条を歯の働き面を構成する直線部と上記直線部から歯底に至る曲線部との接合点を含みワイヤの底面と略平行となるように設けたシリンダ用メタリックワイヤを提供する。【選択図】    図１
2005350827.tif 000002
【特許請求の範囲】
【請求項１】
メタリックワイヤの歯の少なくとも片側の側面に、円弧面により形成された突条が歯の働き面を構成する直線部と上記直線部から歯底に至る曲線部との接合点を含むように設けられ、かつ上記突条の尾根がメタリックワイヤの底面と略平行となるように設けられたことを特徴とするシリンダ用メタリックワイヤ。
【請求項２】
突条が歯の縁部側の側面に設けられたことを特徴とする請求項１記載のシリンダ用メタリックワイヤ。
【請求項３】
突条は、垂直方向の断面において、曲率半径Ｒが０．０５ｍｍ〜０．０８ｍｍ、高さＨが０．０１ｍｍ〜０．０３ｍｍを有することを特徴とする請求項１又は請求項２記載のシリンダ用メタリックワイヤ。
【発明の詳細な説明】
【技術分野】
【０００１】
本発明は、紡績の梳綿工程に使用する梳綿機のシリンダドラムに巻き付けて使用するメタリックワイヤに関し、特に高速高生産用梳綿機（以下、高速カードという）に適したシリンダ用メタリックワイヤに関するものである。
【背景技術】
【０００２】
一般に、高速カードのシリンダには、高生産領域において、シリンダ上の単位面積当りの繊維密度が高くなってもシリンダとトップ間において良好なカーディング作用（開繊作用、除塵作用及び繊維の平行化作用）を維持し、シリンダからドッファへの繊維の移行率を高めるために、メタリックワイヤの歯の働き角が５０°〜６５°、歯の深さが０．４０ｍｍ〜０．５０ｍｍ、山数（２５．４ｍｍ長さ当たりの歯数）が１５山／２５．４ｍｍ〜１７山／２５．４ｍｍとなるように形成したメタリックワイヤが使用されていた。
【０００３】
しかし、最近の高速カードでは、シリンダの表面速度が従来のカードの２倍〜３倍に相当する２０００ｍ／分を超えるため、上記構成のメタリックワイヤでは、歯の働き面に把持された繊維は歯の働き面に沿って歯底方向に沈み込み、歯底の繊維は歯底側の曲面に沿って浮き上がり、繊維は歯の働き面と歯底側の曲面との接合点に集中して作用し、上記歯の接合点付近において局部摩耗を生じさせ、上記摩耗部において繊維切断、繊維損傷が生じるという問題が生じ、後工程での紡績糸の強力低下、糸品質の低下を招くと共にメタリックワイヤの寿命を短くすると言う問題点がある。
【０００４】
また、従来ドッファ用メタリックワイヤ１０として、図３（a）及び（b）に示すように歯１１の側面の片面又は両面に複数個の溝１２又は凸条１３を設けたメタリックワイヤが考えられていた。
【特許文献１】実公昭５６−５２２９３号公報
【特許文献２】実開昭６１−３００８２号公報
【発明の開示】
【発明が解決しようとする課題】
【０００５】
上記各特許文献に示されるドッファ用メタリックワイヤは、繊維がシリンダからドッファへ移行し、さらにドッファから剥ぎ取り装置によって繊維が剥ぎ取られるまでの間に、ドッファに捲き付けられたメタリックワイヤの歯先から繊維が垂れ下がり、ケーシングとの間に詰まってケーシングが損傷したり、メタリックワイヤが損傷することを防ぐため、歯の働き面を構成する直線部に連なる側面に複数個の溝又は凸条を設けて繊維の垂れ下がりを防止したものである。
【０００６】
従って、上記歯の働き面を構成する直線部に連なる側面に複数個の溝又は凸条を設けたメタリックワイヤをシリンダドラムに巻き付けて使用した場合は、繊維が歯の働き面と歯底側の曲面との接合点に集中して作用し、上記歯の接合点付近において局部摩耗を生じさせるという問題を解決することができず、しかも繊維が溝又は凸条に引っ掛かり、その部分において、繊維損傷を生じたり、局部摩耗を招いてメタリックワイヤの寿命を短くすると言う問題点がある。
【課題を解決するための手段】
【０００７】
本発明のシリンダ用メタリックワイヤは、上記問題点を解決するためになされたものであり、メタリックワイヤの歯の少なくとも片側の側面に、円弧面により形成された突条が歯の働き面を構成する直線部と上記直線部から歯底に至る曲線部との接合点を含むように設けられ、かつ上記突条の尾根がメタリックワイヤの底面と略平行となるように設けられた構成を有している。
【０００８】
なお、上記構成において、歯の高さＡは２．０ｍｍ〜２．８ｍｍ、歯の働き角Ｘは５０°〜６３°、歯先の夾角θは３０°〜４０°、歯の深さＢは０．４０ｍｍ〜０．５５ｍｍ、縁部の厚さCは０．４０ｍｍ〜０．５５ｍｍ及びメタリックワイヤ１の長手方向の山数Ｍは１５山／２５．４ｍｍ〜１７山／２５．４ｍｍとなるように形成する。
【０００９】
また、上記歯の側面に設けた突条は、曲率半径Ｒが０．０５ｍｍ〜０．０８ｍｍを有し、高さＨが０．０１ｍｍ〜０．０３ｍｍを有するものである。
【００１０】
本発明の紡機用メタリックワイヤは、歯の働き面を構成する直線部と上記直線部から歯底に至る曲線部との接合点を含むように歯の側面の一定範囲にわたって突条を形成したため、繊維が歯の働き面と歯底に至る曲面との接合点に集中しても、上記部位の歯の厚みが突条により厚く構成されているため、歯の局部摩耗の進行を抑えることができ、局部摩耗による繊維切断、繊維損傷を減少し、後工程での紡績糸の強力低下、糸品質の低下を防止すると共に、メタリックワイヤの寿命を延長することができる。
【００１１】
上記構成において、突条の高さＨが０．０１ｍｍ未満では、摩耗の進行を充分に抑えることができず、繊維切断や繊維損傷が増加する傾向になり、また０．０３ｍｍを超えると繊維の歯の働き面及び歯底側の曲面に沿った移動が拘束され、従来と同様に、突条の上部又は下部に繊維が集中して局部摩耗を生じ、強力低下、糸品質の低下を防止し、メタリックワイヤの寿命を延長するという効果が期待できない。
【００１２】
また、曲率半径Ｒが０．０５ｍｍ未満では、歯の突条部を含む厚みと幅が充分に取れないため、上記と同様に局部摩耗の進行を充分に抑えることができず、０．０８ｍｍを超えると突条の幅が大きくなりすぎ、開繊作用が低下する。
【００１３】
なお、上記突条は歯の少なくとも片側の側面に設けることが好ましいものである。
【発明の効果】
【００１４】
本発明の紡機用メタリックワイヤは、歯の少なくとも片側の側面に突条を設けているため、歯の働き面に把持された繊維が歯底方向に沈み込むのを防ぐことができ、繊維が歯の先端に把持され易く、良好な解繊作用を受けることに成り、ネップの減少が図れる。しかも繊維が歯の先端部に把持されているため、繊維のドッファへの移行も良好に行われるので、高速高生産が可能となる。
【００１５】
また、突条は歯の直線部と曲線部との接合部Ｐを含むように設けられているので、上記接合部Ｐに繊維の局部集中が発生しても、歯の働き面の稜線摩耗が軽減され、メタリックワイヤの寿命を延長することができるという優れた効果を有する発明である。
【発明を実施するための最良の形態】
【００１６】
以下、本発明における紡機用メタリックワイヤの実施の一形態を図面に基づいて説明する。
【００１７】
図１〜図２は本発明の紡機用メタリックワイヤの一実施例を示し、図１は要部拡大正面図、図２は図１のY−Y線断面図である。
【００１８】
本発明のメタリックワイヤ１は、図１〜図２に示すように、歯２の高さＡは２．０ｍｍ〜２．８ｍｍ、歯２の働き角Ｘは５０°〜６３°、歯先の夾角θは３０°〜４０°、歯２の深さＢは０．４０ｍｍ〜０．５５ｍｍ、縁部４の厚さCは０．４０ｍｍ〜０．５５ｍｍ及びメタリックワイヤ１の長手方向の山数Ｍは１５山／２５．４ｍｍ〜１７山／２５．４ｍｍとなるように形成されている。
【００１９】
また、上記歯２の縁部４側の側面５には単一の突条６が形成されている。
【００２０】
上記突条６は、その垂直方向の断面における曲率半径Ｒが０．０５ｍｍ〜０．０８ｍｍ、高さＨが０．０１ｍｍ〜０．０３ｍｍを有すると共に、歯の働き面を構成する直線部３と上記直線部３から歯底９に至る曲線部７との接合点Pを含むように設けられ、その幅Ｗが０．１５ｍｍ〜０．１７ｍｍとなるように形成されている。
【実施例】
【００２１】
以下、本発明の紡機用メタリックワイヤ１の一実施例を図１及び図２に基づいて説明する。
【００２２】
紡機用メタリックワイヤ１は図に示すように、歯の高さＡが２．０ｍｍ、歯の働き角Ｘが５０°、歯先の夾角θが３２°、歯の深さＢが０．４ｍｍ、縁部の厚さＣが０．４ｍｍ、縁部の高さＤが１．３ｍｍ及び山数Ｍが１５山／２５．４ｍｍとなるように形成されている。
【００２３】
上記歯２の縁部４側の側面５には、単一の突条６が歯の働き面を構成する直線部３と上記直線部３から歯底９に至る曲線部７との接合点Pを含むように設けられている。
【００２４】
上記突条６は、その尾根がメタリックワイヤ１の底面８と略平行になるように形成されている。
【００２５】
また、上記突条６は、曲率半径Ｒが０．０６ｍｍ、高さＨが０．０３ｍｍを有すると共に、歯の働き面を構成する直線部３と上記直線部３から歯底９に至る曲線部７との接合点Pを含む幅Ｗが０．１６ｍｍとなるように形成されている。
【図面の簡単な説明】
【００２６】
【図１】本発明の紡機用メタリックワイヤの一実施例を示す要部拡大正面図である。
【図２】図１のY−Y線断面図である。
【図３】（ａ）及び（ｂ）は従来の異なるドッファ用メタリックワイヤを示す拡大断面図である。
【符号の説明】
【００２７】
１  メタリックワイヤ
２、１１  歯
３  直線部
４  縁部
５  側面
６  突条
７  曲線部
８  底面
９  歯底
１０  ドッファ用メタリックワイヤ
１２  溝
１３  凸条
【図１】
2005350827.tif 000003
【図２】
2005350827.tif 000004
【図３】
2005350827.tif 000005